(57)【要約】【課題】  温度差による刺激を利用した空気浴を行うために最適な調圧装置を得る。【解決手段】  気密可能な気密部と、この気密部の排気口に連通して気密部内の気圧を減圧する減圧ポンプと、気密部の気圧が予め定められた閾値気圧を下回る過減圧となることを防止する過減圧防止装置とを備えた調圧装置であって、気密部が矩形状のパネルを組み合わせて互いの接合部分の気密性を確保した６面体状の筐体に構成されており、減圧ポンプを制御する減圧制御手段を更に備え、減圧制御手段が、閾値気圧以上の減圧状態と常圧か減圧状態よりも高く常圧よりも低い広範常圧状態との間を、予め定められた時間内で１回以上繰り返し制御するものである。【選択図】      図１
2010167252.tif 000002
【特許請求の範囲】
【請求項１】
気密可能な気密部と、
この気密部の排気口に連通して気密部内の気圧を減圧する減圧ポンプと、
前記気密部の気圧が予め定められた閾値気圧を下回る過減圧となることを防止する過減圧防止装置とを備えた調圧装置であって、
前記気密部が、矩形状のパネルを組み合わせて互いの接合部分の気密性を確保した６面体状の筐体に構成されており、
前記減圧ポンプを制御する減圧制御手段を更に備え、
前記減圧制御手段が、前記閾値気圧以上の減圧状態と常圧又は前記減圧状態よりも高く常圧よりも低い広範常圧状態との間を、予め定められた時間内で１回以上繰り返し制御するものであることを特徴とする調圧装置。
【請求項２】
気密可能な気密部と、
この気密部の排気口に連通して気密部内の気圧を減圧する減圧ポンプと、
前記気密部の気圧が予め定められた閾値気圧を下回る過減圧となることを防止する過減圧防止装置とを備えた調圧装置の調圧法であって、
前記気密部が、矩形状のパネルを組み合わせて互いの接合部分の気密性を確保した６面体状の筐体に構成されており、
前記気密部内の気圧を前記閾値気圧以上の減圧状態に減圧して気密部内の気温を断熱膨張作用によって低下させる減圧工程と、該減圧状態から常圧又は前記減圧状態よりも高く常圧よりも低い広範常圧状態に与圧して気密部内の気温を当初の気密部の気温以上に復元する与圧工程とを予め定められた時間内に１回以上繰り返すことを特徴とする調圧法。
【発明の詳細な説明】
【技術分野】
【０００１】
本発明は、空気浴を行うに最適な調圧装置に関し、更に、調圧装置の調圧法に関するものである。
【背景技術】
【０００２】
空気浴は特定の空気環境中に身体を曝して、空気の物理的特性や化学的成分を利用して身体を鍛錬し、疾病の予防をする一つの方法である。空気浴は血液循環の調節に対しても、人体の組織器官に対しても均しく良好な影響がある。空気中の微量元素と無機塩、酸素などは有機体の活力と免疫機能を向上させることができ、新鮮な空気を吸収して、血液中の酸素含有量を向上させることは心肺機能を保護する上で大変有効な援助になると言われている。
【０００３】
空気浴を採用して身体を鍛錬するには、主に空気の温度（気温）と、身体の温度との差違が形成する刺激を利用する。気温の冷熱変化は身体の体温調節機能、大脳皮質と血管運動の反射中枢を活性化させ良好な鍛錬ができる。例えば、冷たい空気の刺激は身体の表面の血管を収縮させ、血液を内臓に向けて流れさせる。逆に、暖かい空気の刺激は身体の表面の血管を拡張させ、血液を身体の表面の血管に向けて流れさせる。また、空気浴は、人だけでなく、動物においてもストレス緩和効果を期待されるものでもある。
【０００４】
一方、手又は足などを空気で温めながら、皮膚を遠赤外線放出体により活性化された空気に曝す空気浴装置が提案されている（例えば、特許文献１参照）。
【先行技術文献】
【特許文献】
【０００５】
【特許文献１】特開平１０−１５５８６４号公報
【発明の概要】
【発明が解決しようとする課題】
【０００６】
しかしながら、前述の空気浴装置は、単に遠赤外線放出体により温められた空気を提供するものであり、前述のような冷たい空気の刺激や暖かい空気の刺激を与えるようなものではない。
【０００７】
本発明は、温度差による刺激を利用した空気浴を行うために最適な調圧装置を得ること、また、温度差による刺激を利用した空気浴を行う調圧法を得ることを目的とする。
【課題を解決するための手段】
【０００８】
請求項１に記載された発明に係る調圧装置は、気密可能な気密部と、
この気密部の排気口に連通して気密部内の気圧を減圧する減圧ポンプと、
前記気密部の気圧が予め定められた閾値気圧を下回る過減圧となることを防止する過減圧防止装置とを備えた調圧装置であって、
前記気密部が、矩形状のパネルを組み合わせて互いの接合部分の気密性を確保した６面体状の筐体に構成されており、
前記減圧ポンプを制御する減圧制御手段を更に備え、
前記減圧制御手段が、前記閾値気圧以上の減圧状態と常圧又は前記減圧状態よりも高く常圧よりも低い広範常圧状態との間を、予め定められた時間内で１回以上繰り返し制御するものであることを特徴とするものである。
【０００９】
請求項２に記載された発明に係る調圧装置の調圧法は、気密可能な気密部と、
この気密部の排気口に連通して気密部内の気圧を減圧する減圧ポンプと、
前記気密部の気圧が予め定められた閾値気圧を下回る過減圧となることを防止する過減圧防止装置とを備えた調圧装置の調圧法であって、
前記気密部が、矩形状のパネルを組み合わせて互いの接合部分の気密性を確保した６面体状の筐体に構成されており、
前記気密部内の気圧を前記閾値気圧以上の減圧状態に減圧して気密部内の気温を断熱膨張作用によって低下させる減圧工程と、該減圧状態から常圧又は前記減圧状態よりも高く常圧よりも低い広範常圧状態に与圧して気密部内の気温を当初の気密部の気温以上に復元する与圧工程とを予め定められた時間内に１回以上繰り返すことを特徴とするものである。
【発明の効果】
【００１０】
本発明は、空気浴を行うために均一かつ正確な温度変化を被験者に与えるに最適な調圧装置を得ることができる。また、均一かつ正確な温度変化を被験者に与える空気浴を行う調圧法を得ることができるという効果がある。
【図面の簡単な説明】
【００１１】
【図１】本発明の調圧装置の一実施例の構成を示す正面図である。
【図２】図１の平面図である。
【図３】図１の側面図である。
【図４】図１の制御装置の駆動を示すフローチャートであり、ａ図は減圧工程を示すフローチャートであり、ｂ図は与圧工程を示すフローチャートである。
【図５】減圧工程と与圧工程とを繰り返した場合の気密部内の気温変化を測定した結果を示す線図である。
【図６】減圧工程と与圧工程とを繰り返した場合の気密部内の気温変化を測定した別の結果を示す線図である。
【発明を実施するための形態】
【００１２】
本発明においては、気密可能な気密部と、この気密部の排気口に連通して気密部内の気圧を減圧する減圧ポンプと、前記気密部の気圧が予め定められた閾値気圧を下回る過減圧となることを防止する過減圧防止装置とを備えた調圧装置であって、
前記減圧ポンプを制御する減圧制御手段を更に備え、
前記減圧制御手段が、前記閾値気圧以上の減圧状態と常圧又は前記減圧状態よりも高く常圧よりも低い広範常圧状態との間を、予め定められた時間内で１回以上繰り返し制御するものである。
【００１３】
本発明における調圧装置としては、気密可能な気密部と、この気密部の排気口に連通して気密部内の気圧を減圧する減圧ポンプと、気密部の気圧が予め定められた閾値気圧を下回る過減圧となることを防止する過減圧防止装置とを備えるものであればよい。尚、本発明における気密部は常圧（大気圧）以上に加圧する場合は想定しない。気密部が加圧容器としての機能を持たないためである。
【００１４】
本発明の気密部としては、閾値気圧以上の減圧状態と、常圧又は前記減圧状態よりも高く常圧よりも低い広範常圧状態との間を圧力変化することに耐えられる気密部を備えるものであればよい。気密部を構成する素材としては、気密性を保ち、前記減圧状態と広範常圧状態との圧力変化に耐えられるものであればよく、金属、樹脂、木等の単独或いは複数を組み合わせて作成される。
【００１５】
また、気密部の形状についても、気密性を保ち、前記減圧状態と広範常圧状態との圧力変化に耐えられるものであればよいが、後述するように閾値気圧自体が５００ｈＰａ以上と、極端に低いものではないため、気密性を保てればその形状については制限はない。例えば、矩形状のパネルを組み合わせて、互いの接合部分の気密性を確保できれば、６面体状の筐体に構成してもよい。
【００１６】
本発明の減圧ポンプとしては、断熱膨張が生じるような急激な減圧変化をもたらすことのできる減圧ポンプであればよく、ロータリーポンプ（油回転ポンプ）、油拡散ポンプ、ターボ分子ポンプ、イオンポンプ、ドライポンプ、カニカルブースタポンプ等の減圧ポンプから単独で又は１つ以上を組み合わせて使用することができる。
【００１７】
本発明の過減圧防止装置としては、気密部の気圧が予め定められた閾値気圧を下回る過減圧となることを防止するものであればよく、気密部の気圧が閾値を下回った場合に自動的又は強制的に開放される開放弁を外気と気密部とを連通する連通管に備えたものが挙げられる。
【００１８】
この過減圧防止装置とは別の安全装置として、減圧ポンプによって気密部内の空気を排気する量よりも少ない外気量を供給する調圧装置や、気密部内部に入った被験者が異変を感じて気密部内から操作して気密状態を開放する開放弁等の２重、３重以上の安全装置を好ましくは更に備える。
【００１９】
本発明の閾値気圧としては、個人差があり、健常者や、疾病を患った者に応じて気圧の閾値は変化する。また、経験によって閾値を下げることもできるし、逆に体調によって閾値が高まることがある。一般的に航空機内の与圧キャビンでは、高度１２０００ｍにおいては、高度２０００ｍ内外の気圧状態（約７８０ｈＰａ）としており、疾病を患った者でも利用可能である。従って、一般的な健康な被験者の閾値は、少なくとも高度２０００ｍを越えて、高度約４２００ｍ以下の６００ｈＰａ以上とする。
【００２０】
本発明における減圧制御手段としては、減圧状態と広範常圧状態との間を変化する気圧サイクルを、予め定められた時間内で１回以上繰り返し制御するものであればよい。減圧状態とは、閾値気圧以上の減圧状態を指し、この減圧状態の気圧についても、健常者や、疾病を患った者に応じてその値を変更する。例えば、減圧状態を高度１０００ｍの気圧とし、広範常圧状態を高度２００ｍの気圧とし、この減圧状態と広範常圧状態との気圧変化を繰り返す。
【００２１】
尚、繰り返す減圧状態は、閾値気圧以上の減圧であればよく、同一の気圧で無くてもよい。例えば、１回目の減圧状態を高度２０００ｍ相当の７８０ｈＰａ、２回目の減圧状態を高度３０００ｍ相当の７００ｈＰａのように相違する減圧状態としてもよい。同様に、繰り返す広範常圧状態についても、常圧か、直前の減圧状態よりも高く常圧よりも低い気圧であればよく、同一の気圧で無くてもよい。例えば、１回目の広範常圧状態を常圧（１０１３ｈＰａ）、２回目の広範常圧状態を高度２００ｍ相当の９８９ｈＰａのように相違する気圧状態としてもよい。
【００２２】
また、本願発明の調圧装置の設置場所が、例えばメキシコシティ等の高地環境では、常圧（１０１３ｈＰａ）や高度２００ｍ（９８９ｈＰａ）にするための与圧装置を好ましくは備える。しかしながら、常圧を越えて加圧はしない。常圧を越えて加圧する場合には気密部自体が加圧容器としての構成を採る必要があるからである。
【００２３】
本発明の気圧サイクルの変化は、断熱膨張による冷却又は断熱圧縮による発熱によって気密部内の温度が下降又は上昇することが被験者に自覚できるスピードで膨張又は圧縮される。具体的には、１〜６０分間で減圧状態から広範常圧状態、又は、広範常圧状態から減圧状態へ変化することにより、断熱膨張による冷却又は断熱圧縮による発熱に起因する温度変化が被験者に自覚できる。例えば、常圧（約１０１３ｈＰａ）から高度１０００ｍに相当する気圧（約９００ｈＰａ）に３分間で変化させた場合には、１９．９℃の気温が１７．０℃に変化する。引き続き、高度２００ｍ（約９８９ｈＰａ）に１．５分間で変化させた場合には、１７．０℃の気温が２０．１℃に変化する。
【００２４】
また逆に、例えば６０分間という長い時間をかけて、徐々に広範常圧状態から減圧状態へ又は減圧状態から広範常圧状態へ変化させても、僅かではあるが、気密部内の気温が変化する。特に、後述するような酸欠防止手段によって気密部へ外気の自然吸入が行われる場合には、気密部の気温の変化は確実に行われる。
【００２５】
この減圧状態と広範常圧状態との間の気圧変化に伴う気密部の温度変化は、気密部内の膨張又は収縮する空気自体が冷却又は発熱するため、気密部内の被験者に温風が当たることによる温度変化、被験者に輻射熱が当たることによる温度変化とは性質が全く相違するものであり、自然による空気浴により近い温度変化を気密部内の被験者に与えるものであり、空気浴を行うために最適な調圧装置を得ることができる。
【００２６】
尚、気密部の大きさ及び減圧ポンプの能力については、断熱膨張が生じるような急激な減圧変化をもたらすことができ、この減圧状態と広範常圧状態との圧力変化が速やかに行える容積であればよい。容量の大きな気密部では、能力の大きな減圧ポンプを１基以上備え、気密部への給気も容量の大きな給気手段を１つ以上備えればよいが、気密部の容量が小さいものであれば装置自体が大きくならずに済む。大きな気密部としては、数人が同時に空気浴可能な容量の部屋が実現可能である。また、小さな気密部としては、一人の人間が横たわる程度の容量の気密部が上げられる。更に、人以外にもイヌやネコのようなペットが入れるような小さな容量の気密部も可能である。
【００２７】
何れにしても、被験者に温度差による刺激を利用した空気浴を供給するには、少なくとも身体全体を内部に保持するものが好ましい。従って、本願発明の気密部としては、人体の全部を内部に保持するものである。具体的には、気密部が人体の全部を内部に保持し、気密部を人体が全て入る部屋として構成し、その気密部屋に被験者が入り、減圧状態と広範常圧状態との気圧変化を繰り返す。この場合には、気密部内の酸素の欠乏を防止する酸欠防止手段を更に備える。
【００２８】
本発明の酸欠防止手段としては、気密部内の気圧に応じて外気を自然吸入するように減圧ポンプによる排気量以下の外気を気密部内に導入する吸入管を設置したり、停電時等に自動的に開放して気密部内の酸欠を防止するドア又は換気口等が挙げられる。この酸欠防止手段により、減圧された気密部内には外気が自然吸入される。
【００２９】
この外気の自然吸入により、気密部内に吸入される外気は気密部内に導入される際の断熱膨張により、外気温は下がって気密部内に導入されるが、常に導入されるため、気密部内の気温は徐々に上昇する。その一方で、広範常圧状態に与圧された場合には、減圧状態での気温よりも上昇することにより、当初の外気温よりも気密部内の気温が上昇することになる。尚、この与圧による発熱は気密部内の空気自体が一様に発熱するため、温風による温度変化や輻射熱による温度変化とは性質が全く相違することは前述の通りである。
【００３０】
方法に係る本発明においては、気密可能な気密部と、この気密部の排気口に連通して気密部内の気圧を減圧する減圧ポンプと、前記気密部の気圧が予め定められた閾値気圧を下回る過減圧となることを防止する過減圧防止装置とを備えた調圧装置の調圧法であって、
前記気密部内の気圧を前記閾値気圧以上の減圧状態に減圧して気密部内の気温を断熱膨張作用によって低下させる減圧工程と、該減圧状態から常圧又は前記減圧状態よりも高く常圧よりも低い広範常圧状態に与圧して気密部内の気温を当初の気密部の気温以上に復元する与圧工程とを予め定められた時間内に１回以上繰り返すことにより、前述の気密可能な気密部と、この気密部の排気口に連通して気密部内の気圧を減圧する減圧ポンプと、前記気密部の気圧が予め定められた閾値気圧を下回る過減圧となることを防止する過減圧防止装置とを備えた調圧装置を調圧することができる。
【００３１】
方法に係る本発明における調圧装置については、前述の調圧装置と同様に、気密可能な気密部と、この気密部の排気口に連通して気密部内の気圧を減圧する減圧ポンプと、前記気密部の気圧が予め定められた閾値気圧を下回る過減圧となることを防止する過減圧防止装置とを備えるものであればよく、気密部、減圧ポンプ、過減圧防止装置の各々については前述の通りである。
【００３２】
本発明では、気密部内の気圧を前記閾値気圧以上の減圧状態に減圧して気密部内の気温を断熱膨張作用によって低下させる減圧工程と、該減圧状態から常圧又は前記減圧状態よりも高く常圧よりも低い広範常圧状態に与圧して気密部内の気温を当初の気密部の気温以上に復元する与圧工程とを予め定められた時間内に１回以上繰り返すものであればよい。具体的には、前述の調圧装置における減圧ポンプを制御する減圧制御手段を備えて制御してもよく、また、操作者が気密部内の気圧計を確認しながら、気密部内の気圧を変化させることを含む。
【実施例】
【００３３】
図１は本発明の調圧装置の一実施例の構成を示す正面図である。図２は図１の平面図である。図３は図１の側面図である。図に示す通り、本実施例の調圧装置１０は複数のパネル板３０で構成された気密部１１と、この気密部１１の内側に一端を開放した排気管１２に連通する減圧ポンプ１３と、気密部１１内の排気管１２と対向する位置に一端を開放した給気管１４の他端部にはフィルター１５を気密部１１の外方に取付けられている。
【００３４】
気密部１１の外観は、略同一の大きさの複数枚のパネル板３０で構成された筐体である。本実施例では、１４枚のパネル板によって構成されている。正面及び背面（図示せず）には、中央部に２つの窓３３が備わった気密扉３２が配された出入り口パネル３１が用いられている。両側面には各々に２つの窓３３が備わった３枚の側面パネル３４が連結されて用いられている。天井面には３枚の天井パネル３５が連結されて用いられている。床面には天井面と同様に３枚の床パネル３６が連結されて用いられている。
【００３５】
尚、図示はしていないが、各々のパネル板３０は、矩形の４辺を取り巻くようにリム部が立設されており、リム部によってパネル板３０同士又は接合部材を介して隣接するパネル板３０が連結する構成となっている。接合されるパネル板３０のリム部間又はパネル板のリム部と接合部材との間には弾性ゴム板を介在させて連結することにより、連結部間の気密性を保つ。
【００３６】
正面の出入り口パネル３１の一側部には給気管１４が配されており、この給気管１４の途中には、圧力調節弁１６が取付けられ、圧力調節弁１６の開度によって生ずる圧力損失を調節することによって、フィルター１５を通過した外気が気密部１１内の気圧に応じて連続的に自然吸入される。この圧力調節弁１６の開度は後述する制御装置２２によって行われる。尚、圧力調節弁１６は完全に閉塞することはできない構造であり、これにより酸欠防止手段として機能する。
【００３７】
正面の出入り口パネル３１の他側部には排気管１２が配されており、この排気管１２の途中には排気用電磁弁１７が取付けられ、その減圧ポンプ１３側には分岐管１８及び外気用電磁弁１９を介して外気に連通する過減圧防止配管２０が配されている。更に、気密部１１には内部の気圧を計測する圧力センサ２１が多数配されており、気密部１１内の気圧が何らかの異常により、予め設定した閾値を下回った場合には、減圧ポンプ１３が停止され、外気用電磁弁１９が開放し、外気が吸入されることによって過減圧を防止することができる。
【００３８】
減圧ポンプ１３の上部には、減圧ポンプ１３の駆動を制御する減圧制御手段としての制御装置２２が配されており、気密部１１の圧力センサ２１の数値もこの制御装置２２に入力され、前記電磁弁１７，１９の駆動及び圧力調節弁１６の開度も制御する。
【００３９】
図４は図１の制御装置の駆動を示すフローチャートであり、ａ図は減圧工程を示すフローチャートであり、ｂ図は与圧工程を示すフローチャートである。ａ図に示す通り、減圧工程では、制御装置２２によって、減圧ポンプ１３が駆動される。尚、この際には、外気用電磁弁１９を閉塞し、排気用電磁弁１７を開放した上で行われることは言うまでもない。
【００４０】
減圧ポンプ１３の駆動の際には、圧力調節弁１６の開度を最小の開度にし、速やかな減圧が行われるようにし、減圧ポンプ１３の駆動中は気密部１１の圧力センサ２１によって内部の気圧を定時的にチェックし、予め設定しておいた目標減圧値となっているのかを判断し、目標減圧値となった場合には減圧ポンプ１３を停止する。尚、減圧ポンプ１３を停止する際には排気用電磁弁１７を閉塞して気密部１１の内部の気圧を保持する。
【００４１】
また、圧力調節弁１６は閉塞されない構造となっているため、減圧ポンプ１３の駆動が停止した場合には、徐々に圧力が上昇する。そのため、目標の減圧状態を長く保持する場合には、目標の圧力を基準にして一定の圧力が上昇したら、排気用電磁弁１７を開放して再度減圧ポンプ１３を駆動するように制御してもよい。
【００４２】
ｂ図に示す通り、与圧工程では、制御装置２２によって圧力調節弁１６の開度を開放して気密部１１内の気圧を上昇させる。気密部１１の圧力センサ２１によって内部の気圧を定時的にチェックし、予め設定しておいた目標与圧値となっているのかを判断し、目標与圧値（広範常圧状態）となった場合には圧力調節弁１６の開度を最小に搾る。
【００４３】
同様に、圧力調節弁１６は閉塞されない構造となっているため、圧力調節弁１６の開度を最小に搾っても徐々に圧力が常圧まで上昇する。常圧よりも低い広範常圧状態を長く保持する場合には、目標の圧力を基準にして一定の圧力が上昇したら、排気用電磁弁１７を開放して再度減圧ポンプ１３を駆動するように制御してもよい。
【００４４】
尚、本実施例の気密部１１の室内には、必要に応じて、照明、エアコン、床暖房、ＣＤプレイヤー、テレビ等の被験者の居室を快適にする装置を備えてもよい。尚、エアコンについては、気密部の室内のドレインは室内に排出するように気密性を確保する必要がある。
【００４５】
本実施例による調圧装置を用いて気密部１１内の気圧を減圧して気密部内の気温を断熱膨張作用によって低下させる減圧工程と、この減圧状態から常圧よりも低い広範常圧状態に与圧して気密部内の気温を当初の気密部の気温以上に復元する与圧工程とを繰り返して気密部内の気温の変化を計測した。結果を表１に示す。
【００４６】
表１に示す通り、数分の時間によって、３℃以上の気温差を気密部内に入った被験者に与えることができ、気温の素早い変化による刺激を被験者に与えることができることが確認された。
【００４７】
【表１】
2010167252.tif 000003
【００４８】
また、図５及び図６に減圧工程と与圧工程とを繰り返した場合の気密部内の気温変化を測定した結果を示す。各図において、黒丸点を結んだ実線が気密部内の気温（℃）であり、黒四角点を結んだ破線が気密部内の圧力（ｈＰａ）である。
【００４９】
図５では、減圧工程は常圧（１０１３ｈＰａ）又は高度２００ｍに相当する気圧（９８９ｈＰａ）から高度１０００ｍに相当する気圧（９００ｈＰａ）、与圧工程は高度１０００ｍに相当する気圧（９００ｈＰａ）から高度２００ｍに相当する気圧（９８９ｈＰａ）又は常圧（１０１３ｈＰａ）を２．５分で繰り返した。図６では、減圧工程は常圧（１０１３ｈＰａ）又は高度２００ｍに相当する気圧（９８９ｈＰａ）から高度３０００ｍに相当する気圧（７００ｈＰａ）、与圧工程は高度３０００ｍに相当する気圧（７００ｈＰａ）から高度２００ｍに相当する気圧（９８９ｈＰａ）又は常圧（１０１３ｈＰａ）を６分で繰り返した（最初の減圧及び最後の与圧では８分）。
【００５０】
図５に示す通り、与圧工程で高度２００ｍに相当する気圧（９８９ｈＰａ）又は常圧（１０１３ｈＰａ）の広範常圧状態の気圧にした場合には、当初の外気温度（２５℃）よりも高い温度となることが確認された。また、２３．６℃〜２６．８℃の温度範囲を１サイクル５分で繰り返すことが判った。
【００５１】
一方、図６に示す通り、図５と同様に、与圧工程で高度２００ｍに相当する気圧（９８９ｈＰａ）又は常圧（１０１３ｈＰａ）の広範常圧状態の気圧にした場合には、当初の外気温度（２６℃）よりも高い温度となることが確認された。また、２１．５℃〜３０．０℃の温度範囲を１サイクル１２分で繰り返すことが判った。
【産業上の利用可能性】
【００５２】
本発明によれば、短時間で有意な温度差を有する調圧装置及び調圧法が得られ、温度差の刺激を利用する空気浴を行うことができる。
【符号の説明】
【００５３】
１０…調圧装置、
１１…気密部、
１２…排気管、
１３…減圧ポンプ、
１４…給気管、
１５…フィルター、
１６…圧力調節弁、
１７…排気用電磁弁、
１８…分岐管、
１９…外気用電磁弁、
２０…過減圧防止配管、
２１…圧力センサ、
２２…制御装置、
３０…パネル板、
３１…出入り口パネル、
３２…気密扉、
３３…窓、
３４…側面パネル、
３５…天井パネル、
３６…床パネル、
【図１】
2010167252.tif 000004
【図２】
2010167252.tif 000005
【図３】
2010167252.tif 000006
【図４】
2010167252.tif 000007
【図５】
2010167252.tif 000008
【図６】
2010167252.tif 000009